(57)【要約】【課題】表面材に設けた消臭剤の消臭効果を効率的に長期間持続すること。【解決手段】表面の布材１５と内面の樹脂シート１７との積層構造の表面材１１と、内面の樹脂シート１７の表面に塗布された臭い吸着方式の消臭剤１６とを備え、表面材１１に設けた布材１５により、設置場所で発生している臭気の透過を低減することにより、表面材１１に設けた吸着方式の消臭剤１６の消臭作用を低減し、長期間の消臭効果を持続することができるとともに、布材１５に付着した臭気に対しては、編み込んだ繊維の隙間を通して消臭作用を行うことができ、効率的に消臭を行うことができる。【選択図】図２
2006078042.tif 000002
【特許請求の範囲】
【請求項１】
表面材と裏面材の間に発熱体を配設し、前記表面材を表面の布材と内面の樹脂シートとの積層構造とし、前記内面の樹脂シート表面に臭い吸着方式の消臭剤を塗布してなる電気採暖具。
【請求項２】
表面材と裏面材の間に発熱体を配設し、前記表面材を表面の布材と内面の樹脂シートとの積層構造とし、前記内面の樹脂シートに臭い吸着方式の消臭剤を練り込んでなる電気採暖具。
【発明の詳細な説明】
【技術分野】
【０００１】
本発明は、電気カーペット等の電気採暖具に関するものである。
【背景技術】
【０００２】
従来、電気採暖具は発熱体を有する本体部と本体上部に載置するカバー部に分離したタイプが主流となっている。ここで、この種の電気採暖具において、消臭剤を有する電気採暖具は、カバー表面の繊維部分に消臭剤を塗布している（例えば、特許文献１参照）。
【０００３】
図４は、特許文献１に記載された従来のカバーの消臭剤を示すものである。図４に示すように、基布１とパイル部２からなる表面繊維部３と、裏面バッキング部４と、パイル部２に固着した消臭剤から構成されている。
【特許文献１】特開２０００−３５４５３５号公報
【発明の開示】
【発明が解決しようとする課題】
【０００４】
しかしながら、前記従来の構成では、消臭剤を固着した部分が設置場所の空間の空気と直接接しているので、設置場所の空間全体の臭気を対象として吸着する為、消臭効果を長期間持続することが難しく、かつ、本来目的としている表面材に付着した臭気の除去に対して、臭気を含む物質が直接消臭剤固着面に付着する為、消臭剤の臭気吸着面積が減少することになり、効率的な消臭がでないという課題を有していた。
【０００５】
本発明は、前記従来の課題を解決するもので、長期間の消臭効果の持続と、表面材に付着した臭気を効率的に除去する電気採暖具を提供することを目的とする。
【課題を解決するための手段】
【０００６】
前記従来の課題を解決するために、本発明の電気採暖具は、表面材を表面の布材と内面の樹脂シートとの積層構造とし、前記内面の樹脂シートに消臭剤を設けることにより、表面に付着した臭気を効率的にかつ長期間消臭する構成としたものである。
【０００７】
これによって、表面材に設けた布材により、設置場所で発生している臭気の透過を低減することにより、長期間の消臭効果を持続することができるとともに、前記布材に付着した臭気に対しては、編み込んだ繊維の隙間を通して消臭作用を行うことができ、効率的に消臭を行うことができる。
【発明の効果】
【０００８】
本発明の電気採暖具は、消臭効果の持続性を長くし、表面材に付着した臭気を効率的に除去することができる。
【発明を実施するための最良の形態】
【０００９】
第１の発明は、表面材と裏面材の間に発熱体を配設し、表面材を表面の布材と内面の樹脂シートとの積層構造とし、内面の樹脂シート表面に臭い吸着方式の消臭剤を塗布することにより、表面材に設けた布材により、設置場所で発生している臭気の透過を低減することにより、長期間の消臭効果を持続することができるとともに、布材に付着した臭気に対しては、編み込んだ繊維の隙間を通して消臭作用を行うことができ、効率的に消臭を行うことができる。
【００１０】
第２の発明は、特に、第１の発明の臭い吸着方式の消臭剤を樹脂シートに練り込むことにより、表面材に設けた布材により、設置場所で発生している臭気が直接、下面の樹脂シートに設けた消臭剤に接触しない為、長期間の消臭効果を持続することができるとともに、前記布材に付着した臭気に対しては、編み込んだ繊維の隙間を通して消臭作用を行うことができ、効率的に消臭を行うことができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における電気採暖具の斜視図を示すものである。
【００１３】
図１において、１１は表面材、１２は裏面材であり、表面材１１と裏面材１２の間に発熱線１３が配設され、端部にはコントローラー１４が設けられている。
【００１４】
図２は本発明の第１の実施の形態における電気採暖具の縦断面図を示すものである。
【００１５】
表面材１１は、布材１５と吸着方式の消臭剤１６を表面に塗布した樹脂シート１７より構成される。また、樹脂シート１７と裏面材１２の間には、断熱材１８が設けられている。
【００１６】
以上のように構成された電気採暖具について、以下その動作、作用を説明する。
【００１７】
まず、表面材１１に設けた布材１５は、設置場所の空間で発生している臭気の透過を低減することにより、布材１５の下面に配設している樹脂シート１７の表面の吸着方式の消臭剤の消臭作用を低減する。また、本来の目的である、布材１５の表面に付着、浸透した臭気に対しては、編み込んだ繊維の隙間を通して消臭を透過させるとともに、繊維部分の隙間に臭気を一時的に保持し臭気の拡散を抑える効果がある。
【００１８】
以上のように、本実施の形態においては、設置場所で発生している臭気に対し、表面材に設けた消臭剤の消臭作用を低減することにより、長期間の消臭効果を持続することができるとともに、布材１５に付着した臭気に対しては、編み込んだ繊維の隙間を通して消臭作用を行うことができ、効率的に消臭を行うことができる。
【００１９】
（実施の形態２）
図３は、本発明の第２の実施の形態の電気採暖具の縦断面図である。
【００２０】
図３において、表面材１１は、布材１５と吸着方式の消臭剤１６を練り込んだ樹脂シート１７より構成される。また、樹脂シート１７と裏面材１２の間には、断熱材１８が設けられている。
【００２１】
以上のように構成された電気採暖具について、以下その動作、作用を説明する。
【００２２】
まず、表面材１１に設けた布材１５は、設置場所で発生している臭気の透過を低減することにより、布材１５の下面に配設している樹脂シート１７に練り込んだ吸着方式の消臭剤１６の消臭作用を低減する。また、本来の目的である、布材１５の表面に付着、浸透した臭気に対しては、編み込んだ繊維の隙間を通して消臭を透過させるとともに、繊維部分の隙間に臭気を一時的に保持し臭気の拡散を抑える効果がある。
【００２３】
以上のように、本実施の形態においては、設置場所で発生している臭気に対し、表面材１１に設けた吸着方式の消臭剤１６の消臭作用を低減することにより、長期間の消臭効果を持続することができるとともに、布材１５に付着した臭気に対しては、編み込んだ繊維の隙間を通して消臭作用を行うことができ、効率的に消臭を行うことができる。
【００２４】
以上のように、本実施の形態においては吸着方式の消臭剤１６を配設した樹脂シート１７を表面の布材１５の下面に配設することにより、表面材１１に設けた布材１５により、設置場所で発生している臭気に対し、表面材１１に設けた吸着方式の消臭剤１６の消臭作用を低減することができ、長期間の消臭効果を持続することができるとともに、布材１５に付着した臭気に対しては、編み込んだ繊維の隙間を通して消臭作用を行うことができ、効率的に消臭を行うことができる。
【産業上の利用可能性】
【００２５】
以上のように、本発明にかかる電気採暖具は、表面材の消臭剤の効果を長期間持続させ、かつ表面に付着した臭気を効率的に消臭することが可能となるので、カーペットの表面材等の用途にも適用できる。
【図面の簡単な説明】
【００２６】
【図１】本発明の実施の形態１における電気採暖具の斜視図
【図２】本発明の実施の形態１における電気採暖具の縦断面図
【図３】本発明の実施の形態２の電気採暖具を示す縦断面図
【図４】従来の消臭剤付カバーの縦断面図
【符号の説明】
【００２７】
１１  表面材
１２  裏面材
１３  発熱線
１５  布材
１６  吸着方式の消臭剤
１７  樹脂シート
【図１】
2006078042.tif 000003
【図２】
2006078042.tif 000004
【図３】
2006078042.tif 000005
【図４】
2006078042.tif 000006